(57)【要約】【課題】  冷房用の冷水又は温水を供給する熱源システムにおける冷凍機の省エネルギー制御運転方法及び装置を提供する。【解決手段】  回転式、ターボ式、往復動式及びスクリュー式のいずれかの圧縮冷凍機１０を運転するに際し、乾球温度と相対湿度とを逐次計測し、計測結果を入力し演算して得られる数値を元にして、制御盤３４ａに予め入力されているデータテーブルにより、冷凍機１０に循環する冷却水温度を選択・設定し、冷却水が設定温度になるように、冷却塔ファンモータ２６の回転数制御、又は冷却塔ファンモータの回転数制御と冷却水温度調整弁制御を組み合わせた制御のいずれかの方法で制御をする。【選択図】  図２
2008151481.tif 000002
【特許請求の範囲】
【請求項１】
回転式、ターボ式、往復動式及びスクリュー式のいずれかの圧縮冷凍機を運転するに際し、乾球温度と相対湿度とを逐次計測し、計測結果を入力し演算して得られる数値を元にして、制御盤に予め入力されているデータテーブルにより、この冷凍機に循環する冷却水温度を選択・設定し、冷却水が設定温度になるように、冷却塔ファンモータの回転数制御、又は冷却塔ファンモータの回転数制御と冷却水温度調整弁制御を組み合せた制御のいずれかの方法で制御することを特徴とする冷凍機の省エネルギー制御運転方法。
【請求項２】
回転式、ターボ式、往復動式及びスクリュー式のいずれかの圧縮冷凍機と、この冷凍機に冷却水を供給するための冷却水ポンプと、前記冷凍機からの冷却水を冷却するための冷却塔とを少なくとも備えた冷房用の冷却水を供給するための熱源システムにおいて、乾球温度センサー及び相対湿度センサーが接続された演算器と、この演算器に接続された制御盤と、演算器の数値を元にして循環する冷却水温度を表した、制御盤に予め入力されているデータテーブルと、冷凍機の冷却水入口ラインに設けられた冷却水温度センサーとを備え、制御盤と冷却塔ファンモータが接続されて、冷凍機に循環される冷却水温度が、データテーブルで設定された温度に制御されるようにしたことを特徴とする冷凍機の省エネルギー制御運転装置。
【請求項３】
回転式、ターボ式、往復動式及びスクリュー式のいずれかの圧縮冷凍機と、この冷凍機に冷却水を供給するための冷却水ポンプと、前記冷凍機からの冷却水を冷却するための冷却塔と、この冷却塔からの冷却水の温度を調節するための冷却水温度調整弁とを少なくとも備えた冷房用の冷却水を供給するための熱源システムにおいて、乾球温度センサー及び相対湿度センサーが接続された演算器と、この演算器に接続された制御盤と、演算器の数値を元にして循環する冷却水温度を表した、制御盤に予め入力されているデータテーブルと、冷凍機の冷却水入口ラインに設けられた冷却水温度センサーとを備え、制御盤と冷却塔ファンモータ及び冷却水温度調整弁が接続されて、冷凍機に循環される冷却水温度が、データテーブルで設定された温度に制御されるようにしたことを特徴とする冷凍機の省エネルギー制御運転装置。
【発明の詳細な説明】
【技術分野】
【０００１】
本発明は、冷房用の冷水を供給する熱源システムにおける回転式、ターボ式、往復動式及びスクリュー式のいずれかの圧縮冷凍機（以下、単に冷凍機と称す）の省エネルギー制御運転方法及び装置に関するものである。
【背景技術】
【０００２】
冷凍機及び周辺機器で構成され、冷房用の冷水を供給する熱源システムにおいて、冷凍機で発生する熱を回収した冷却水は、冷却塔にて冷却水の一部を蒸発させることで冷却水温度を下げ、再び冷凍機に流入する。一般的に使用されている冷却塔は、冷却水の蒸発潜熱を利用した冷却であるため、冷却可能温度はその周辺の湿球温度に影響される。
冷却塔で冷却する冷却水の目標温度は、通常、冷凍機入口での要求仕様である、冷却水入口温度３２℃又は３１℃であり、この要求仕様温度は、日本国内では１年を通した最大湿球温度時（例えば２８℃）でも冷却塔で冷却可能な冷却水温度としている。いい換えると、日本国内においては１年のほとんどの期間で、湿球温度がこの最大湿球温度以下であるため、冷却水温度を３２℃又は３１℃より低い温度に低下させることが可能なのである。
【０００３】
一方で冷凍機は、冷却水温度を低下させることで、機内を循環する吸収液温度が下がり、吸収能力が増す。このため、冷媒の蒸発が活発になり、冷房に使用する冷水を冷やす能力が向上するので、冷凍機の性能、効率を改善することができる。
これらのことから、冷却塔周辺の湿球温度に応じて、冷却水温度を制御して、冷却水温度の低下が可能な場合には冷却水温度を低下させて（冷凍機の安全運転に支障を来たさない範囲で低下させて）、冷凍機の運転効率を改善させることができる。また、冷凍機の運転動力である電力の消費量も削減可能となるため、冷房用の冷水を供給する熱源システムにおいて、従来の制御システムより大幅な省エネルギー運転を図ることができる。
【０００４】
従来から、多機能湿度調節器として、目標とする湿度値と乾球・湿球温度から算出した相対湿度を比較しながら湿度制御を行うことにより、湿度の急激な変化を制御するようにしたものが知られている（例えば、特許文献１参照）。また、冷却塔の運転方法とこの冷却塔として、乾球温度を計測する温度計と、その相対湿度を測定する乾式の湿度計を設けて、冷却塔の送風機の回転方向を正逆制御するようにしたものが知られている（例えば、特許文献２参照）。また、恒温恒湿装置として、乾球温度、湿球温度、相対湿度、露点温度の４つの指標の少なくとも２つの入力により、残りの少なくとも１つを演算する演算装置を備えたものが知られている（例えば、特許文献３参照）。
また、恒温恒湿装置として、目標乾球温度、目標湿球温度及び目標相対湿度の雰囲気指標のうち少なくとも２つの値の入力に基づき冷却装置の冷却能力を制御するようにしたものが知られている（例えば、特許文献４参照）。また、湿潤温度制御優先式温湿度統合コントローラとして、乾球温度センサーのみならず湿潤温度センサーを備える空気調和システム用コントローラとする構成のものが知られている（例えば、特許文献５参照）。さらに、屋内温度調節器として、室内に湿度センサーと温度センサーとを設け、湿潤温度値を乾球温度と共に用いて、温度値と湿度値の両方の関数である単一の誤差信号を生成し、これによって、温度調節システムの異常サイクルなしで室内温度と室内湿度の両方を制御するようにしたものが知られている（例えば、特許文献６参照）。
【特許文献１】特開２００２−３６４８８３号公報（第１頁、図２）
【特許文献２】特開２００２−２１３８９３号公報（第１頁、図１）
【特許文献３】特開２００１−３３０７９号公報（第１頁、図３）
【特許文献４】特開２００１−３３０７８号公報（第１頁、図１）
【特許文献５】特表２００４−５２４４９５号公報（第１頁、図１）
【特許文献６】特表平８−５１０３４８号公報（第１頁、図１）
【発明の開示】
【発明が解決しようとする課題】
【０００５】
解決しようとする問題点は、冷凍機のまわりの温度、湿度に応じて、省エネルギーに最適の冷却水温度に設定できない点である。
【課題を解決するための手段】
【０００６】
本発明は、冷凍機の運転効率改善のために、乾球温度及び相対湿度を逐次入力することにより、湿球温度を逐次計測して、その時の湿球温度に応じた冷却水温度になるように、予め設定したデータテーブルにより冷却塔ファンモータの回転数単独、又は冷却塔ファンモータの回転数と冷却水温度調整弁を同時に制御して、所定の冷却水温度になるように自動的に制御することを最も主要な特徴としている。
【０００７】
本発明の方法及び装置においては、外気温度（乾球温度）及び相対湿度を計測するセンサーを設け、これらのセンサーによる計測データから湿球温度を算出し、算出結果を利用して計測地域周辺の湿球温度を推定する。そして、推定した湿球温度を基準として、循環する冷却水温度を予め設定したデータテーブルの温度になるように冷却塔ファンモータ単独、又は冷却塔ファンモータと冷却水温度調整弁を同時に動作させ、冷凍機の運転時に所定の冷却水温度に制御された冷却水を循環して冷凍機の省エネルギー運転に寄与するように構成されている。
【０００８】
本発明の冷凍機の省エネルギー制御運転方法は、回転式、ターボ式、往復動式（レシプロ式）及びスクリュー式のいずれかの圧縮冷凍機（以下、単に冷凍機と称す）を運転するに際し、乾球温度と相対湿度とを逐次計測し、計測結果を入力し演算して得られる数値を元にして、制御盤に予め入力されているデータテーブルにより、冷凍機に循環する冷却水温度を選択・設定し、冷却水が設定温度になるように、冷却塔ファンモータの回転数制御、又は冷却塔ファンモータの回転数制御と冷却水温度調整弁制御を組み合わせた制御のいずれかの方法で制御をすることを特徴としている。
【０００９】
また、本発明の冷凍機の省エネルギー制御運転装置は、回転式、ターボ式、往復動式（レシプロ式）及びスクリュー式のいずれかの圧縮冷凍機（以下、単に冷凍機と称す）と、この冷凍機に冷却水を供給するための冷却水ポンプと、前記冷凍機からの冷却水を冷却するための冷却塔とを少なくとも備えた冷房用の冷却水を供給するための熱源システムにおいて、乾球温度センサー及び相対湿度センサーが接続された演算器と、この演算器に接続された制御盤と、演算器の数値を元にして循環する冷却水温度を表した、制御盤に予め入力されているデータテーブルと、冷凍機の冷却水入口ラインに設けられた冷却水温度センサーとを備え、制御盤と冷却塔ファンモータが接続されて、冷凍機に循環される冷却水温度がデータテーブルで設定された温度に制御されるようにしたことを特徴としている。
【００１０】
さらに、本発明の冷凍機の省エネルギー制御運転装置は、回転式、ターボ式、往復動式（レシプロ式）及びスクリュー式のいずれかの圧縮冷凍機（以下、単に冷凍機と称す）と、この冷凍機に冷却水を供給するための冷却水ポンプと、前記冷凍機からの冷却水を冷却するための冷却塔と、この冷却塔からの冷却水の温度を調節するための冷却水温度調整弁とを少なくとも備えた冷房用の冷却水を供給するための熱源システムにおいて、乾球温度センサー及び相対湿度センサーが接続された演算器と、この演算器に接続された制御盤と、演算器の数値を元にして循環する冷却水温度を表した、制御盤に予め入力されているデータテーブルと、冷凍機の冷却水入口ラインに設けられた冷却水温度センサーとを備え、制御盤と冷却塔ファンモータ及び冷却水温度調整弁が接続されて、冷凍機に循環される冷却水温度が、データテーブルで設定された温度に制御されるようにしたことを特徴としている。
【発明の効果】
【００１１】
本発明は上記のように構成されているので、つぎのような効果を奏する。
（１）乾球温度と相対湿度を計測して湿球温度を演算により導く計算結果を用い、この湿球温度に順応し、予め設定したデータテーブルの温度になるように、冷却塔で冷却する冷却水温度を自動的に温度設定することができ、このため、冷凍機に入る冷却水循環温度を低下させて冷凍機の能力、効率を向上させることができる。
（２）外気湿球温度を算出して、冷凍機に入る冷水温度を低下させて冷温水機が消費する電力使用量を低減させることができる。また、冷凍機の冷却水変流量制御を行うシステムにおいて、変流量運転時に生じる運転効率低下を回復させることができる。
【発明を実施するための最良の形態】
【００１２】
冷凍機の運転時に所定の冷却水温度に制御された冷却水を循環して冷凍機の省エネルギー運転を行うという目的を推定した湿球温度を基準として、循環する冷却水温度を予めデータテーブルの温度を選択し制御されるように、冷却塔ファンモータ単独、又は冷却塔ファンモータと冷却水温度調整弁を同時に動作させることにより実現した。
【００１３】
以下、本発明の実施の形態について説明するが、本発明は下記の実施の形態に何ら限定されるものではなく、適宜変更して実施することができるものである。
図１は、本発明の実施の第１形態による冷凍機の省エネルギー運転装置を示し、図３はその制御フローを示している。
【００１４】
図１に示すように、冷房用の冷却水を供給するための熱源システムは、冷凍機１０と、この冷凍機１０に冷却水を供給するための冷却水ポンプ１２と、前記冷凍機１０からの冷却水を冷却するための冷却塔１４とを少なくとも備えている。１８は冷水ポンプ、２２はファンモータの駆動信号接続用端子、２４は冷却ファン、２６は冷却塔ファンモータである。なお、冷却塔ファンモータ２６の制御器は制御盤３４内に搭載されている。
【００１５】
このように構成された熱源システムにおいて、乾球温度センサー２８及び相対湿度センサー３０が接続された演算器３２と、この演算器３２に接続された制御盤３４と、演算器３２の数値を元にして循環する冷却水温度を表した、制御盤３４に予め入力されているデータテーブル３６と、冷凍機１０の冷却水入口ライン３８に設けられた冷却水温度センサー４０とを備え、制御盤３４と冷却塔ファンモータ２６が接続されて、冷凍機１０に循環される冷却水温度がデータテーブル３６で設定された温度に制御されるように構成されている。
【００１６】
このように構成された装置において、図３に示すように、冷凍機１０を運転するに際し、乾球温度と相対湿度とを逐次計測し、計測結果を入力し演算して得られる数値（湿球温度）を元にして、制御盤３４に予め入力されているデータテーブル３６により、冷凍機１０に循環する冷却水温度を選択・設定し、冷却水が設定温度になるように、冷却塔ファンモータ２６の回転数を制御をする。すなわち、自動設定した温度になるように冷却塔ファンモータ２６の回転数を可変させて制御する。
【００１７】
図７は、データテーブルの一例を示し、外気状態（乾球温度、相対湿度）に対する冷却水設定温度（Ｔｃｗ℃）を表している。すなわち、乾球温度と相対湿度の計測結果から演算して得られる数値を元にして、図７のデータテーブルに示すように１０℃から３２℃までの間で設定した、一例として６階段の温度（Ｔｃｗ℃）に設定する。この場合、設定温度（Ｔｃｗ）、設定温度の幅は、運転条件、外気条件により修正可能な変数である。なお、６階段をさらに増やし、温度幅を小さく修正することも可能である。このデータテーブルを用いて、図８に示すフローにしたがって、冷却水設定温度への制御が行われる。
【００１８】
設定温度への制御を冷却塔ファン２４の速度制御によって行う場合について説明する。すなわち、この時の速度制御目標値をＴｃｗ（データテーブル値）とする。つぎに、設定温度６パターンにおける制御の例を挙げる。
図１０は６パターンのうちのパターン（１）を示している。このパターン（１）は、Ｔｃｗ３２℃の時に冷却水温度が３２℃から３７℃の間で変化すると、ファン速度を低速回転から１００％回転の間で変化させるパターンを示している。同様に、図１１はパターン（２）を、図１２はパターン（３）を、図１３はパターン（４）を、図１４はパターン（５）を、図１５はパターン（６）を示している。
【００１９】
図２は、本発明の実施の第２形態による冷凍機の省エネルギー運転装置を示し、図４はその制御フローを示している。
【００２０】
図２に示すように、冷房用の冷却水を供給するための熱源システムは、冷凍機１０と、この冷凍機１０に冷却水を供給するための冷却水ポンプ１２と、前記冷凍機１０からの冷却水を冷却するための冷却塔１４と、この冷却塔１４からの冷却水の温度を調節するための冷却水温度調整弁１６とを少なくとも備えている。１８は冷水ポンプ、２０は冷却水温度調整弁の駆動装置、２２はファンモータの駆動信号接続用端子、２４は冷却ファン、２６は冷却塔ファンモータである。なお、冷却水温度調整弁１６は、一例として三方弁で構成され、設定温度になるように、三方弁を流れる冷却水流量を制御する構成である。また、冷却塔ファンモータ２６の制御器、弁１６の制御器は制御盤３４ａ内に搭載されている。
【００２１】
このように構成された熱源システムにおいて、乾球温度センサー２８及び相対湿度センサー３０が接続された演算器３２と、この演算器３２に接続された制御盤３４ａと、演算器３２の数値を元にして循環する冷却水温度を表した、制御盤３４ａに予め入力されているデータテーブル３６と、冷凍機１０の冷却水入口ライン３８に設けられた冷却水温度センサー４０とを備え、制御盤３４ａと冷却塔ファンモータ２６及び冷却水温度調整弁１６の両方が接続されて、冷凍機１０に循環される冷却水温度がデータテーブル３６で設定された温度に制御されるように構成されている。
【００２２】
このように構成された装置において、図４に示すように、冷凍機１０を運転するに際し、乾球温度と相対湿度とを逐次計測し、計測結果を入力し演算して得られる数値（湿球温度）を元にして、制御盤３４ａに予め入力されているデータテーブル３６により、冷凍機１０に循環する冷却水温度を選択・設定し、冷却水が設定温度になるように、冷却塔ファンモータ２６の回転数及び冷却水温度調整弁１６を制御をする。すなわち、自動設定した温度になるように冷却塔ファンモータ２６の回転数を可変させ、冷却水温度の変化に併せて、冷却水温度調整弁１６の作動設定値を連動可変させて制御する。
【００２３】
冷凍機１０からの冷却水温度が高い時は、図５に示すように冷凍機１０からの冷却水の全量又は一部を冷却塔１４へ送り、ここで冷却し、冷却水温度調整弁１６の冷却塔側から入る量と冷却塔をバイパスして弁１６に入る量を制御し、温度を調整して、冷却水ポンプ１２により冷凍機１０に循環する。
一方、冷却塔１４からの冷却水出口温度が低く、冷凍機入口温度が所定の温度より低い時は、図６に示すように、冷凍機１０から戻る冷却水を冷却塔１４へ送らずに、全量又は一部がバイパスして冷却水温度調整弁１６を経由して、冷却水ポンプ１２により冷凍機１０に循環する。すなわち、冷却水温度調整弁１６を制御して、冷却塔側から入る量と冷却塔をバイパスして弁１６に入る量を制御して、冷凍機１０に入る冷却水温度を制御している。
【００２４】
図７は、データテーブルの一例を示し、外気状態（乾球温度、相対湿度）に対する冷却水設定温度（Ｔｃｗ℃）を表している。すなわち、乾球温度と相対湿度の計測結果から演算して得られる数値を元にして、図７のデータテーブルに示すように１０℃から３２℃までの間で設定した、一例として６階段の温度（Ｔｃｗ℃）に設定する。この場合、設定温度（Ｔｃｗ）、設定温度の幅は、運転条件、外気条件により修正可能な変数である。なお、６階段をさらに増やし、温度幅を小さく修正することも可能である。このデータテーブルを用いて、図９に示すフローにしたがって、冷却水設定温度への制御が行われる。
【００２５】
つぎに、設定温度への制御を冷却塔ファンモータ２６の回転数制御と冷却水温度調整弁１６で行う場合について説明する。本例では、実施の第１形態におけるファンの速度制御に加えて、弁開閉制御を行う。すなわち、この時の弁開度制御基準値をＴｃｗ（データテーブル値）とする。つぎに、設定温度６パターンにおける制御の例を挙げる。
図１６は６段階のうちのパターン（１）の冷却塔ファン制御を示し、図１７は冷却水温度調整弁制御を示している。このパターン（１）の図１７は、Ｔｃｗ３２℃の時に冷却水温度が３２℃から２７℃の間で変化すると、弁１６の開度を全開から全閉の間で変化させるパターンを示している。同様に、図１８、図１９はパターン（２）を、図２０、図２１はパターン（３）を、図２２、図２３はパターン（４）を、図２４、図２５はパターン（５）を、図２６、図２７はパターン（６）を示している。
【図面の簡単な説明】
【００２６】
【図１】本発明の実施の第１形態による冷凍機の省エネルギー制御運転装置の系統的概略構成図である。
【図２】本発明の実施の第２形態による冷凍機の省エネルギー制御運転装置の系統的概略構成図である。
【図３】図１に示す装置の制御フロー図である。
【図４】図２に示す装置の制御フロー図である。
【図５】冷却水温度が高い時の冷却水の流れを示す説明図である。
【図６】冷却水温度が低い時の冷却水の流れを示す説明図である。
【図７】データテーブルの一例で、外気状態に対する冷却水設定温度を示す表である。
【図８】図７に示すデータテーブルの冷却水設定温度に、冷却塔ファンモータにより制御するフロー図である。
【図９】図７に示すデータテーブルの冷却水設定温度に、冷却塔ファンモータ及び冷却水温度調整弁により制御するフロー図である。
【図１０】設定温度への制御を冷却塔ファンモータの回転数を制御して行う場合のパターン（１）を示すグラフである。
【図１１】設定温度への制御を冷却塔ファンモータの回転数を制御して行う場合のパターン（２）を示すグラフである。
【図１２】設定温度への制御を冷却塔ファンモータの回転数を制御して行う場合のパターン（３）を示すグラフである。
【図１３】設定温度への制御を冷却塔ファンモータの回転数を制御して行う場合のパターン（４）を示すグラフである。
【図１４】設定温度への制御を冷却塔ファンモータの回転数を制御して行う場合のパターン（５）を示すグラフである。
【図１５】設定温度への制御を冷却塔ファンモータの回転数を制御して行う場合のパターン（６）を示すグラフである。
【図１６】設定温度への制御を冷却塔ファン制御及び冷却水温度調整弁制御にて行う場合のパターン（１）における冷却塔ファン制御を示すグラフである。
【図１７】設定温度への制御を冷却塔ファン制御及び冷却水温度調整弁制御にて行う場合のパターン（１）における冷却水温度調整弁制御を示すグラフである。
【図１８】設定温度への制御を冷却塔ファン制御及び冷却水温度調整弁制御にて行う場合のパターン（２）における冷却塔ファン制御を示すグラフである。
【図１９】設定温度への制御を冷却塔ファン制御及び冷却水温度調整弁制御にて行う場合のパターン（２）における冷却水温度調整弁制御を示すグラフである。
【図２０】設定温度への制御を冷却塔ファン制御及び冷却水温度調整弁制御にて行う場合のパターン（３）における冷却塔ファン制御を示すグラフである。
【図２１】設定温度への制御を冷却塔ファン制御及び冷却水温度調整弁制御にて行う場合のパターン（３）における冷却水温度調整弁制御を示すグラフである。
【図２２】設定温度への制御を冷却塔ファン制御及び冷却水温度調整弁制御にて行う場合のパターン（４）における冷却塔ファン制御を示すグラフである。
【図２３】設定温度への制御を冷却塔ファン制御及び冷却水温度調整弁制御にて行う場合のパターン（４）における冷却水温度調整弁制御を示すグラフである。
【図２４】設定温度への制御を冷却塔ファン制御及び冷却水温度調整弁制御にて行う場合のパターン（５）における冷却塔ファン制御を示すグラフである。
【図２５】設定温度への制御を冷却塔ファン制御及び冷却水温度調整弁制御にて行う場合のパターン（５）における冷却水温度調整弁制御を示すグラフである。
【図２６】設定温度への制御を冷却塔ファン制御及び冷却水温度調整弁制御にて行う場合のパターン（６）における冷却塔ファン制御を示すグラフである。
【図２７】設定温度への制御を冷却塔ファン制御及び冷却水温度調整弁制御にて行う場合のパターン（６）における冷却水温度調整弁制御を示すグラフである。
【符号の説明】
【００２７】
１０  冷凍機
１２  冷却水ポンプ
１４  冷却塔
１６  冷却水温度調整弁
１８  冷水ポンプ
２０  弁の駆動装置
２２  ファンモータの駆動信号接続用端子
２４  冷却ファン
２６  冷却塔ファンモータ
２８  乾球温度センサー
３０  相対湿度センサー
３２  演算器
３４  制御盤
３４ａ  制御盤
３６  データテーブル
３８  冷却水入口ライン
４０  冷却水温度センサー
【図１】
2008151481.tif 000003
【図２】
2008151481.tif 000004
【図３】
2008151481.tif 000005
【図４】
2008151481.tif 000006
【図５】
2008151481.tif 000007
【図６】
2008151481.tif 000008
【図７】
2008151481.tif 000009
【図８】
2008151481.tif 000010
【図９】
2008151481.tif 000011
【図１０】
2008151481.tif 000012
【図１１】
2008151481.tif 000013
【図１２】
2008151481.tif 000014
【図１３】
2008151481.tif 000015
【図１４】
2008151481.tif 000016
【図１５】
2008151481.tif 000017
【図１６】
2008151481.tif 000018
【図１７】
2008151481.tif 000019
【図１８】
2008151481.tif 000020
【図１９】
2008151481.tif 000021
【図２０】
2008151481.tif 000022
【図２１】
2008151481.tif 000023
【図２２】
2008151481.tif 000024
【図２３】
2008151481.tif 000025
【図２４】
2008151481.tif 000026
【図２５】
2008151481.tif 000027
【図２６】
2008151481.tif 000028
【図２７】
2008151481.tif 000029